(57)【特許請求の範囲】
【請求項１】
水平資料台を備えた水平脚部と、この水平脚部の一方端両側にその基端を枢支し、前記水平脚部にほぼ接する伏した状態から立ち上げて所定の立上げ角度で停止しうるように、縦方向に回転変位するとともに固定機構を設けた一対の支持アームと、この各支持アームに縦方向に回転変位するとともに所定位置で停止するように枢支し、前記各支持アームが伏した状態にあると同様に前記水平脚部にほぼ接する伏した状態になる一対のカメラアームと、この各カメラアームの先端側に設けた縦方向及び横方向に回転変位可能であるとともに所定位置で停止可能なテレビカメラと、前記各支持アームにこれらが伸びる方向と同方向に突出入可能かつ縦方向に回転変位可能であるとともに所定位置で停止可能に設け、前記各支持アームが伏した状態にあると同様に前記水平脚部にほぼ接する伏した状態になるモニタアームと、この各モニタアームの先端に設けた縦方向に回転変位可能で所定位置で停止可能なモニタとから構成する携帯可能なテレビ式拡大表示装置。
【請求項２】
カメラアームに補助支持部材を設け、この補助支持部材によって前記カメラアームをより大きな立上げ角度で停止させ、テレビカメラを高位置に変位して支持しうるように構成したことを特徴とする請求項１に記載した携帯可能なテレビ式拡大表示装置。
【発明の詳細な説明】
【０００１】
【発明が属する技術分野】
本発明は、書籍の文字や写真などの、近距離に置かれた表示対象、あるいは教室の黒板などのある程度の距離をもった表示対象をそれぞれ拡大表示しうるほか、折り畳んで持ち運びができる携帯可能なテレビ式拡大表示装置に関するものである。
【０００２】
【従来の技術】
従来のテレビ式拡大表示装置は、書籍や新聞などを拡げて載置する水平資料台と、この水平資料台にレンズを向けたテレビカメラと、このテレビカメラで撮像した画像を表示するモニタを、それぞれ配置位置が変位できないように構成してあって、全体的にかなり大型なものであった。
【０００３】
上記従来のテレビ式拡大表示装置は、かなり大型で折り畳むこともできないように構成されていたので、携帯に適さず、その設置場所でしか使用することができないという問題があった。
【０００４】
【発明が解決しようとする課題】
本発明は、上記のような問題を解消することを課題とし、この課題を解決した携帯可能なテレビ式拡大表示装置を提供することを目的とする。
【０００５】
【課題を解決するための手段】
上記目的を達成するために、請求項１に記載した本発明は、水平資料台を備えた水平脚部と、この水平脚部の一方端両側にその基端を枢支し、前記水平脚部にほぼ接する伏した状態から立ち上げて所定の立上げ角度で停止しうるように、縦方向に回転変位するとともに固定機構を設けた一対の支持アームと、この各支持アームに縦方向に回転変位するとともに所定位置で停止するように枢支し、前記各支持アームが伏した状態にあると同様に前記水平脚部にほぼ接する伏した状態になる一対のカメラアームと、この各カメラアームの先端側に設けた縦方向及び横方向に回転変位可能であるとともに所定位置で停止可能なテレビカメラと、前記各支持アームにこれらが伸びる方向と同方向に突出入可能かつ縦方向に回転変位可能であるとともに所定位置で停止可能に設け、前記各支持アームが伏した状態にあると同様に前記水平脚部にほぼ接する伏した状態になるモニタアームと、この各モニタアームの先端に設けた縦方向に回転変位可能で所定位置で停止可能なモニタとから構成するものである。
【０００６】
また、請求項２に記載した本発明は、請求項１に記載した発明の構成に加えて、カメラアームに補助支持部材を設け、この補助支持部材によって前記カメラアームをより大きな立上げ角度で停止させ、テレビカメラを高位置に変位して支持しうるように構成したものである。
【０００７】
【発明の実施の形態】
以下に、本発明の好適な実施形態を添付図面の図１〜図９によって詳細に説明する。ここにおいて、図１はテレビカメラを水平資料台に向けた状態の正面図、図２は同じく平面図、図３は図２のＡ−Ａ線断面図、図４はテレビカメラを水平方向に向けた状態の平面図、図５は図４のＢ−Ｂ線断面図、図６は水平脚部における要部の部分拡大斜視図、図７はテレビカメラを示す部分拡大斜視図、図８はモニタアームを示す部分拡大斜視図、図９は折り畳んだ状態の部分断面側面図である。
【０００８】
図１〜図９に示すように、表示装置１は、ＸＹ方向に移動可能な水平資料台２を備えた枠状の水平脚部３と、この水平脚部３の一方端である後端に各基端を枢支し、所定の立上げ角度に設定するように、縦方向に回転変位するよう支持した一対の支持アーム４と、この各支持アーム４に縦方向に回転変位するよう支持した一対のカメラアーム５の先端に設けた取付板６ａに支持したテレビカメラ６と、前記支持アーム４に各支持アーム４が伸びる方向と同方向に突出入可能に設けた一対のモニタアーム７の先端に、モニタ枠８ａを介して設けたモニタ８とから構成する。
【０００９】
図１〜図３に示すように、水平脚部３は、その後端両側において一対の支持アーム４の各基端を枢軸９によって枢支するとともに、その内面両側にそれぞれ断面コ状のレール１０を設ける。また、前記水平脚部３の上に配置する水平資料台２は、前記水平脚部３の前記各レール１０に案内されて動転するローラを備え、水平脚部３の前後端方向に移動自在である。また、前記水平資料台２は、前記ローラ１１の支持軸に沿って両側端方向に移動自在である。さらに、支持アーム４の固定は、支持アーム４に連繋する固定部４ａにデンデンボルト１２ｂに螺合するナット１２ａを締めつけるように構成し、ナット１２ａを緩めると支持アーム４が回転変位可能となり、ナット１２ａを締めつけるとその立上げ角度で停止するように構成する。前記固定部４ａはデンデンボルト１２ｂに対応する凹入部を備えている。前記固定部４ａと、前記デンデンボルト１２ｂと、前記ナット１２ａによって固定機構を構成する。
【００１０】
図３、図５及び図７に示すように、一対のカメラアーム５は、その各一端を各支持アーム４の先端側に掛け渡した横桁１３に回転可能に支持され、その他端にテレビカメラ６の取付板６ａを掛け渡すように設ける。また、一方のカメラアーム５の中間部位には補助支持部材たる補助アーム１４の一端を枢支し、この補助アーム１４の他端は、各支持アーム５間を連繋する補助桁１５に離脱可能に係合する係合凹部１４ａを設ける。そして、前記係合凹部１４ａを補助桁１５から外した状態（図３参照）では、カメラアーム５と補助アーム１４の各中間部位が補助桁１５に乗って、カメラアーム５の先端が支持アーム４の延長線上に位置する状態で停止し、前記係合凹部１４ａを補助桁１５に係合した状態（図５及び図７参照）では、カメラアーム５の立上げ角度がより大きくなってその先端が支持アーム４の先端より上に位置した状態で停止するようになる。
【００１１】
図１〜図５及び図７に示すように、テレビカメラ６は、前述の一対のカメラアーム５の各先端側に、縦方向及び横方向に回転変位可能に調整ビス１６によって固定した取付板６ａの幅方向に伸びる長孔１７に裏面側から取付ビス１８を挿し込み、テレビカメラ６の底部に螺合させることによって、取り付けるものである。このようにして取付板６ａに取り付けたテレビカメラ６は、前記調整ビス１６を緩めることによって取付板６ａといっしょに縦方向に回転変位し、一方、締めつけることによって位置固定される。また、前記テレビカメラ６は、前記取付ビス１８を緩めることによって、これが前記長孔１７内で進退移動可能であるとともに、取付ビス１８を中心に取付板６ａに沿って首振りするように、横方向に回転変位可能となり、一方、前記取付ビス１８を締めつけることによって、取付板６ａに位置固定されるのである。
【００１２】
図１及び図７に示すように、テレビカメラ６のレンズ６ｂの光軸ａ上には、補助レンズ枠１９ａの円孔１９ｂ部分と他の部分との間を摘み１９ｃを持ってスライド移動可能となし、前記円孔１９ｂ部分に位置するときに前記光軸ａ上に変位しうる補助レンズ１９を設ける（図６参照）。この補助レンズ１９は、水平資料台２上の書籍などの近距離のものを表示対象とするときに上記のように円孔１９ｂ部分に変位させ（図１参照）、黒板などのある程度の距離をもったものを表示対象とするときには、前記光軸ａから外すべく補助レンズ枠１９ａ内を円孔１９ｂの位置からずらすように変位させるのである。
【００１３】
図１〜図５及び図８に示すように、一対のモニタアーム７は、その長手方向に伸びるように設けたガイド溝２０を、各支持アーム４から内側に向けてそれぞれ突設した枢支軸２１に移動可能、かつ縦方向に回転変位可能に嵌合し、その先端にモニタ８を支持したモニタ枠８ａを、調整ビス２２によって取り付けてある。また、両方のモニタアーム７の各中間部位の下側には、補助桁１５に載った状態でこれに係合する切込２３をそれぞれ設ける（図８参照）。このように構成したモニタアーム７は、表示装置１を使用するときに、ガイド溝２０の基端を枢支軸２１に当接させるとともに、各切込２３を補助桁１５に係合することによって、前記突出した停止状態を維持し、また、持ち運びするときには、各切込２３を補助桁１５から外し、前記ガイド溝２０の先端側に枢支軸２１が位置するようにして突入させて伏せるものである。
【００１４】
図１〜図５に示すように、モニタ８のモニタ枠８ａは、前述の一対のモニタアーム７の各先端に、縦方向に回転変位可能に調整ビス２２によって取り付けるものである。このようにして取り付けたモニタ枠８ａは、調整ビス２２を緩めることによって、縦方向に回転変位して使用者の目線に画面を合わせ、一方、締めつけることによって位置固定されるものである。
【００１５】
図３、図５及び図９において、符号２４は、テレビカメラ６及びモニタ８に電源を供給するための電源線、符号２５は、テレビカメラ６及びモニタ８を動作させるための電子回路、符号２６は、前記電子回路２５と図示しない制御盤を電気的に連繋するための信号線である。前記制御盤には各種スイッチなどが配置され、弱視者が手元においてテレビカメラ６やモニタ８を操作するためのものである。
【００１６】
次に、上記表示装置１の使用方法を説明する。表示装置１は、例えば、視力の弱い学生などの弱視者が水平資料台２に置いた書籍などを読む場合と、教室で黒板の文字などを読む場合があるが、始めに書籍などを読む場合について説明する。先ず、水平脚部３を机などの上に載置し、各支持アーム４を回転変位させて所定角度に立上げ、ナット１２ａを持ってデンデンボルト１２ｂを、各支持アーム４基端の固定部４ａの凹入部に挿し込み、前記ナット１２ａを締めつけて固定し、前記立上げ角度を強固に維持する。続いて、ガイド溝２０の基端に枢支軸２１を当接させることによって、モニタアーム７を支持アーム４の先端より外側に突出させる（図８参照）とともに、両方の切込２３を補助桁１５に係合して、図１〜図３の状態とする。また、電源を入れて書籍などをこの水平資料台２に拡げて置き、調整ビス１６、取付ビス１８を緩めた状態にて、カメラアーム５を回転変位させ、補助桁１５に載せるとともに、テレビカメラ６の取付板１３を回転変位して、テレビカメラ６のレンズ６ｂの光軸ａを下方の水平資料台２に向け、水平資料台２上の書籍までの距離と、光軸ａの方向とを調整した後に前記調整ビス１６、前記取付ビス１８を締めつけて位置固定する（図３参照）。そして、前記書籍を読んでいる際に、その読む部位をＸＹ方向（前後左右）に移動させたいときには、水平資料台２を押したり引いたりして、ローラ１１をレール１０上で動転させたり、ローラ１１の支持軸に沿って移動させることによって、水平資料台２をＸＹ方向に任意に移動させる（図６参照）。
【００１７】
続いて、前記黒板の文字を読む場合は、前述の書籍を読む場合と同様に、所定の立上げ角度に立上げ、モニタアーム７を図４〜図５の状態（この状態は前記図１〜図３と同じ状態）とする。また、カメラアーム５を回転変位させるとともに、補助アーム１４の下端の係合凹部１４ａを補助桁１５に係合させて、テレビカメラ６を高い位置に立ち上げ、その取付板１３を回転変位して、テレビカメラ６のレンズ６ｂの光軸ａをほぼ水平にして黒板方向に向けるとともに、補助レンズ１９を摘み１９ｃの操作でスライドさせ円孔１９ｂの位置から外し、前述の書籍を読む場合と同様に、黒板などに書かれた文字の位置に合わせて、テレビカメラ６の向きを調整する。
【００１８】
次に、表示装置１の畳み方を図９を用いて説明する。先ず、水平資料台２を水平脚部３の後端側（支持アーム４の基端側）に突入させるとともに、ナット１２ａを操作して緊締状態を緩め支持アーム４を前記水平脚部３に重なるように畳む。続いて、カメラアーム５を横桁１３を中心に図３の状態からほぼ１８０度回転変位させてテレビカメラ６を水平脚部３の後端側に変位させるとともに、モニタアーム７を、枢支軸２１に嵌合しているガイド溝２０内を移動させてガイド溝２０の先端側に位置させることによって、モニタ８を水平脚部３の後端側に変位させる（図９の状態）。そして、この図９の状態となった表示装置１を、制御盤（図示せず）といっしょにケース（図示せず）に収納し、携帯可能とする。
【００１９】
なお、表示装置１は、上記実施形態になんら限定されるものではなく、例えば、支持アーム４は板材を用いずパイプ材を用いて構成してもよいほか、補助レンズ１９をテレビカメラ６のレンズ６ｂの光軸ａ上あるいは該光軸ａから外れた位置とに変位させる機構は、上記実施形態のようにスライド式ではなく、補助レンズ１９を設けた補助レンズ枠１９ａを扉状に開閉させる機構を用いてもよい。また、支持アーム４などに水平資料台２上を照らすライトを配置してもよい。さらに、カメラ６をモニタ８より高い位置に支持して、後方を写すように構成してもよい。
【００２０】
【発明の効果】
以上説明したように請求項１に記載した本発明によれば、折り畳み状態において、水平脚部と支持アームとを重ねるように折り畳むとともに、カメラアームを回転変位してテレビカメラの位置を反転させ、かつモニタアームを縮め、全体をコンパクトに折り畳みうるので、携帯することができるという効果を奏する。
【００２１】
また、請求項２に記載した本発明によれば、請求項１に記載した発明の効果に加えて、手元の表示対象である書籍などだけでなく、ある程度の距離をもった表示対象、例えば教室の黒板などを拡大表示することができるという効果を奏する。
【図面の簡単な説明】
【図１】テレビカメラを水平資料台に向けた状態の正面図。
【図２】同じく平面図。
【図３】図２のＡ−Ａ線断面図。
【図４】テレビカメラを水平方向に向けた状態の正面図。
【図５】図４のＢ−Ｂ線断面図。
【図６】水平脚部における要部の部分拡大斜視図。
【図７】テレビカメラを示す部分拡大斜視図。
【図８】モニタアームを示す部分拡大斜視図。
【図９】折り畳んだ状態の側面図。
【符号の説明】
１    表示装置
２    水平資料台
３    水平脚部
４    支持アーム
４ａ    固定部
５    カメラアーム
６    テレビカメラ
６ａ    取付板
６ｂ    レンズ
７    モニタアーム
８    モニタ
８ａ    モニタ枠
９    枢軸
１０    レール
１１    ローラ
１２ａ    ナット
１２ｂ    デンデンボルト
１３    横桁
１４    補助アーム
１４ａ    係合凹部
１５    補助桁
１６    調整ビス
１７    長孔
１８    取付ビス
１９ａ    補助レンズ枠
１９ｂ    円孔
１９ｃ    摘み
１９    補助レンズ
２０    ガイド溝
２１    枢支軸
２２    調整ビス
２３    切込
２４    電源線
２５    電子回路
２６    信号線
【図１】
0003773457.tif 000002
【図２】
0003773457.tif 000003
【図３】
0003773457.tif 000004
【図４】
0003773457.tif 000005
【図５】
0003773457.tif 000006
【図６】
0003773457.tif 000007
【図７】
0003773457.tif 000008
【図８】
0003773457.tif 000009
【図９】
0003773457.tif 000010